(57)【要約】【課題】コネクタにおけるサイドリテーナの採用において、サイドリテーナのための防水シール部材を別途設ける必要がないようにすること。【解決手段】サイドリテーナ１８を端子ホルダ１４内に設置し、サイドリテーナ１８をロック位置あるいはロック解除位置に移動させる工具１３０のために、端子ホルダ１４の差込口４０からサイドリテーナ１８の傾斜カム面９２Ａ、９４Ａに至るアクセス通路９６、９８を形成する。【選択図】図１３
2017199847.tif 000002
【特許請求の範囲】
【請求項１】
一方の側に接続対象部材の差込口を備え、前記差込口に連続する端子室及び当該端子室に他方の側から連通する端子導入通路を画成する端子ホルダと、
前記端子室に位置するように前記端子ホルダに取り付けられた少なくとも一つの端子と、
前記端子導入通路を横切る方向に離れた第１の位置と第２の位置との間を変位可能に前記端子ホルダに取り付けられたサイドリテーナとを有し、
前記サイドリテーナは、前記第１の位置では前記端子導入通路に整合する位置にあって前記端子室に位置している前記端子の抜け止めを行い、且つ前記第２の位置では前記端子導入通路に対してオフセットされた位置にあって前記端子が前記端子導入通路を通過して前記端子室に位置することを許容する少なくとも一つの係止用突部を含んでおり、
前記端子ホルダは前記サイドリテーナを前記第１の位置と前記第２の位置との間に変位させるべく前記差込口から前記サイドリテーナの配置部に至る工具を挿入されるアクセス通路を含んでいるコネクタ。
【請求項２】
前記端子ホルダを収容するホルダ室を画定するアウタシェルと、
前記アウタシェルに取り付けられ、前記接続対象部材と前記アウタシェルとの間の防水シールを行う環状のシール部材とを有する請求項１に記載のコネクタ。
【請求項３】
前記端子は等ピッチに整列配置された複数の端子を含み、
前記サイドリテーナは、前記端子の整列方向に長い帯板部を有しており、
前記係止用突部は前記帯板部の板面に前記端子の配置ピッチと同ピッチをもって前記端子毎に設けられている請求項１または２に記載のコネクタ。
【請求項４】
前記サイドリテーナは、前記アクセス通路の延在方向の前記工具の変位を、前記端子導入通路を横切る方向の変位に変換する傾斜カム面を備えたリテーナ操作部を有し、前記アクセス通路は前記傾斜カム面に至っている請求項１から３の何れか一項に記載のコネクタ。
【請求項５】
前記サイドリテーナが前記第１の位置或いは前記第２の位置にある時に互いに係合する凹部と凸部の何れか一方が前記サイドリテーナに、他方が前記端子ホルダに形成されている請求項１から４の何れか一項に記載のコネクタ。
【請求項６】
前記サイドリテーナは、前記第２の位置にある時には前記接続対象部材と干渉して当該接続対象部材が前記端子室に進入することを阻止し、前記第１の位置にある時には前記接続対象部材と干渉することなく当該接続対象部材が前記端子室に進入することを許容するフールプルーフ作用部を含んでいる請求項１から５の何れか一項に記載のコネクタ。
【発明の詳細な説明】
【技術分野】
【０００１】
本発明は、コネクタに関し、更に詳細には、端子の係止を行うリテーナ構造を含むコネクタに関する。
【背景技術】
【０００２】
コネクタは、端子室を画成する端子ホルダ（インナハウジング）と、端子室に位置するように端子ホルダに保持される端子とを有する。このようなコネクタでは、端子ホルダからの端子の抜け止めのために、端子ホルダに形成されているランス部（先端に係止爪を有する片持ち片）が端子に形成されているランス係合凹部に係合する抜止構造に加えてフロントリテーナ或いはサイドリテーナが用いられる（例えば、特許文献１〜３）。【０００３】
フロントリテーナは、接続相手のコネクタ或いは基板の端子配列部等の接続対象部材を端子室に差し込まれるべく端子ホルダに形成された差込口から端子ホルダ内に挿入され、ランス部に当接してランス部をランス係合凹部に押し込む作用をする。【０００４】
サイドリテーナは、端子ホルダの側部に形成された開口から端子ホルダ内に挿入され、端子に形成されている段差部（肩部）に直接に係合して端子の抜け止めを行う。
【先行技術文献】
【特許文献】
【０００５】
【特許文献１】特開２０００−９１０２３号公報
【特許文献２】特開２００９−７０５７２号公報
【特許文献３】特開２００２−３２４６１７号公報
【発明の概要】
【発明が解決しようとする課題】
【０００６】
フロントリテーナは、接続対象部材の差込口から端子ホルダ内に挿入されるので、防水コネクタへの適用においては、接続対象部材との防水を行う防水シール部材の設置だけで、フロントリテーナのための防水シール部材を別途設ける必要が生じないが、ランス部が端子の抜き出し力（引張力）に負けてランス係合凹部から外れる方向へ撓むことを阻止しているだけである。このため、フロントリテーナでは、端子ホルダに対する端子の固定力（抜け止め力）は、ランス部の強度に依存することになり、高い固定力を得ることが難しい。【０００７】
サイドリテーナは、端子の段差部に直接に係合して端子の抜け止めを行うので、端子ホルダに対する端子の固定力（抜止力）が高いが、端子ホルダの側部にサイドリテーナの差し込みのための開口を設ける必要があるため、接続対象部材との防水を行う防水シール部材以外に、端子ホルダに対するサイドリテーナの差込部に防水シール部材を別途設ける必要が生じ、防水シール部材の必要個数が増加する。【０００８】
本発明が解決しようとする課題は、コネクタにおけるサイドリテーナの採用において、サイドリテーナのための専用の防水シール部材を別途設ける必要がないようにすることである。
【課題を解決するための手段】
【０００９】
本発明の一つの実施形態によるコネクタは、一方の側に接続対象部材の差込口（４０）を備え、前記差込口（４０）に連続する端子室（４２）及び当該端子室（４２）に他方の側から連通する端子導入通路（４６）を画成する端子ホルダ（１４）と、前記端子室（４２）に位置するように前記端子ホルダ（１４）に取り付けられた少なくとも一つの端子（１６）と、前記端子導入通路（４６）を横切る方向に離れた第１の位置と第２の位置との間を変位可能に前記端子ホルダ（１４）に取り付けられたサイドリテーナ（１８）とを有し、前記サイドリテーナ（１８）は、前記第１の位置では前記端子導入通路（４６）に整合する位置にあって前記端子室に位置している前記端子（１６）の抜け止めを行い、且つ前記第２の位置では前記端子導入通路（４６）に対してオフセットされた位置にあって前記端子（１６）が前記端子導入通路（４６）を通過して前記端子室（４２）に位置することを許容する少なくとも一つの係止用突部（７４）を含んでおり、前記端子ホルダ（１４）は前記サイドリテーナ（１８）を前記第１の位置と前記第２の位置との間に変位させるべく前記差込口（４０）から前記サイドリテーナ（１８）の配置部に至る工具（１３０）を挿入されるアクセス通路（９６、９８）を含んでいる。【００１０】
この構成によれば、工具（１３０）の使用のもとにアクセス通路（９６、９８）によって差込口（４０）の側からサイドリテーナ（１８）をロック位置あるいはロック解除位置へ移動させることができるから、サイドリテーナ（１８）を挿入及び操作するための開口を端子ホルダ（１４）の側部に形成する必要がなく、サイドリテーナ（１８）のための専用の防水シール部材を設ける必要がない。【００１１】
上記コネクタは、好ましくは、前記端子ホルダ（１４）を収容するホルダ室（３４）を画定するアウタシェル（１２）と、前記アウタシェル（１２）に取り付けられ、接続対象部材（１０４）と前記アウタシェル（１２）との間の防水シールを行う環状のシール部材（２０）とを有する。【００１２】
この構成によれば、アウタシェル（１２）及びシール部材（２０）の追加によって防水コネクタが得られる。【００１３】
上記コネクタにおいて、好ましくは、前記端子（１６）は等ピッチに整列配置された複数の端子を含み、前記サイドリテーナ（１８）は、前記端子（１６）の整列方向に長い帯板部（７３）を有しており、前記係止用突部（７４）は前記帯板部（７３）の板面に前記端子（１６）の配置ピッチと同ピッチをもって前記端子（１６）毎に設けられている。【００１４】
この構成によれば、端子（１６）及び係止用突部（７４）の複数化によって多極コネクタが得られる。【００１５】
上記コネクタにおいて、好ましくは、前記サイドリテーナ（１８）は、前記アクセス通路（９６、９８）の延在方向の前記工具（１３０）の変位を、前記端子導入通路（４６）を横切る方向の変位に変換する傾斜カム面（９２Ａ、９４Ａ）を備えたリテーナ操作部（９２、９４）を有し、前記アクセス通路（９６、９８）は前記傾斜カム面（９２Ａ、９４Ａ）に至っている。【００１６】
この構成によれば、サイドリテーナ（１８）に傾斜カム面（９２Ａ、９４Ａ）を設けるだけで、簡単な工具（１３０）の使用のもとに、簡単な操作で、差込口（４０）の側からサイドリテーナ（１８）をロック位置あるいはロック解除位置へ移動させることができ、構造が複雑になることがない。【００１７】
上記コネクタにおいて、前記サイドリテーナ（１８）が前記第１の位置或いは前記第２の位置にある時に互いに係合する凹部（７８、８０）と凸部（８８）の何れか一方が前記サイドリテーナ（１８）に、他方が前記端子ホルダ（１４）に形成されている。【００１８】
この構成によれば、サイドリテーナ（１８）が第１の位置或いは記第２の位置に位置する時にクリックストップ作用が得られ、サイドリテーナ（１８）が第１の位置或いは記第２の位置に安定して位置する。【００１９】
上記コネクタにおいて、好ましくは、前記サイドリテーナ（１８）は、前記第２の位置にある時には前記接続対象部材（１００）と干渉して当該接続対象部材（１００）が前記端子室（４２）に進入することを阻止し、前記第１の位置にある時には前記接続対象部材（１００）と干渉することなく当該接続対象部材（１００）が前記端子室（４２）に進入することを許容するフールプルーフ作用部（９０）を含んでいる。【００２０】
この構成によれば、サイドリテーナ（１８）が第２の位置にあって、サイドリテーナ（１８）による端子（１６）の抜け止めが行われていない状態下で、接続対象部材（１００）が端子室（４２）に差し込まれることが阻止され、不完全状態でのコネクタ接続が未然に防止される。
【発明の効果】
【００２１】
本発明によるコネクタによれば、サイドリテーナの採用において、サイドリテーナを挿入及び操作するための開口を端子ホルダの側部に形成する必要がないから、サイドリテーナのための防水シール部材を別途設ける必要がない。
【図面の簡単な説明】
【００２２】
【図１】本発明によるコネクタの一つの実施形態を前側から見た分解斜視図
【図２】本実施形態によるコネクタの端子ホルダ及びサイドリテーナを後側から見た分解斜視図
【図３】本実施形態によるコネクタの端子ホルダ及びサイドリテーナを後側から見た斜視図
【図４】本実施形態によるコネクタのサイドリテーナが第１の位置に位置している状態を示す部分断面の拡大斜視図
【図５】本実施形態によるコネクタのサイドリテーナが第２の位置に位置している状態を示す部分断面の拡大斜視図
【図６】本実施形態によるコネクタの拡大縦断面図
【図７】本実施形態によるコネクタの端子ホルダ及びサイドリテーナの平面図
【図８】本実施形態によるコネクタの端子ホルダ及びサイドリテーナの正面図
【図９】図７の線IX−IXに沿った断面図（サイドリテーナが第１の位置に位置している状態）
【図１０】図７の線IX−IXに沿った断面図（サイドリテーナが第２の位置に位置している状態）
【図１１】図８の線XI−XIに沿った拡大断面図
【図１２】図１１の線XII−XIIに沿った断面図
【図１３】図８の線XIII−XIIIに沿った断面図（サイドリテーナが第１の位置に位置している状態）
【図１４】図８の線XIV−XIVに沿った断面図（サイドリテーナが第２の位置に位置している状態）
【図１５】第１の位置に位置しているサイドリテーナとプリント基板の端子エッジ部との関係を示す断面図（図８の線XIV−XIVに沿った断面図相当）
【図１６】第２の位置に位置しているサイドリテーナとプリント基板の端子エッジ部との関係を示す断面図（図８の線XIV−XIVに沿った断面図相当）
【発明を実施するための形態】
【００２３】
以下に、本発明によるコネクタの実施形態を、図１〜図１６を参照して説明する。尚、各図における、上下、前後、左右の各方向を矢印により示す方向に定義する。
【００２４】
本実施形態のコネクタ１０は、防水型の両面カードエッジコネクタであり、図１及び図６に示されているように、アウタシェル（アウタハウジング）１２と、端子ホルダ１４と、端子１６と、サイドリテーナ１８と、防水シール部材２０と、ケーブルシール部材１２０とを含む。
【００２５】
アウタシェル１２は、樹脂成形品であり、接続対象部材、本実施形態では両面プリント基板の端子エッジ部１００（図１５及び図１６参照）が扁平箱形のパッケージケース１０２（図１５及び図１６参照）から外方に突出しているコントローラユニット１０４を受け入れるべく一方の側（前面１２Ａ）に開口したケース差込口３０を有するケース受入室３２及び端子ホルダ１４を収容するホルダ室３４を画成している。
【００２６】
端子ホルダ１４は、樹脂成形品であり、図１及び図４〜図６に示されているように、端子エッジ部１００を受け入れるべく一方の側（前面１４Ａ）に開口した左右方向に長いスリット状のエッジ差込口４０を備え、エッジ差込口４０に連続して端子エッジ部１００を差し込まれる端子室４２を画成している。
【００２７】
端子室４２は、図２〜図７に示されているように、上下両側に、左右方向に等ピッチで、前後方向に長い端子保持凹部４４を含んでいる。端子ホルダ１４は、後面１４Ｂから端子保持凹部４４に至るべく前後方向に延在した端子導入通路４６を端子保持凹部４４毎に有する。つまり、端子ホルダ１４の上壁及び下壁の各々に、端子保持凹部４４と端子導入通路４６とが左右方向に等ピッチで形成されている。更に、端子ホルダ１４の上壁及び下壁には、各々、端子保持凹部４４毎に前後方向に長い矩形の開口４８が形成されており、端子ホルダ１４は各開口４８の後壁から前方に延出した片持ち片による爪付きのランス部（係止片）５０を一体に有する。
【００２８】
端子ホルダ１４は、後面１４Ｂがホルダ室３４の奧面１２Ｂ（図６参照）に突当たるまでケース差込口３０からホルダ室３４内に挿入され、上下両面に形成されている係止爪５２がアウタシェル１２に形成されている凹部（不図示）に係合することにより、アウタシェル１２に固定される。
【００２９】
端子１６は、図４〜図６に示されているように、金属板を溝形断面形状に折曲してなる端子本体６０に湾曲した片持ちの接触片６２を有する雌形の細長い圧着端子であり、端子本体６０の後側に被覆ケーブル１１０の芯線１１２を圧着する芯線バレル６４及び被覆部１１４を圧着する被覆部バレル６６を有する。複数の上下の端子１６は、各々、端子室４２内において接触片６２が上下に所定間隔をおいて互いに対向するように、後面１４Ｂの側から、各端子導入通路４６を通過して先端面（前面）１６Ａが端子保持凹部４４の前端面（当接部）４４Ａに当接するまで各端子保持凹部４４に挿入される。この挿入が完了した状態では、先端面１６Ａが前端面４４Ａに当接することにより、端子１６の端子ホルダ１４に対する前側への移動を規制され、端子本体６０に形成された角穴による係止部６８にランス部５０の先端が逆止係合することにより、端子１６の端子ホルダ１４に対する後側への移動を規制される。なお、端子１６の先端面１６Ａと端子保持凹部４４の前端面４４Ａとに凹凸による係合があり、この係合によって端子ホルダ１４に対する端子１６の先端側の上下移動が規制されている。
【００３０】
このようにして、複数の端子１６は、端子室４２内の上下に、各々左右方向に等ピッチをもって整列配置される。
【００３１】
被覆部バレル６６及び被覆ケーブル１１０は、図６に示されているように、アウタシェル１２の後部に形成された後部開口３６を通過してアウタシェル１２の後方に延在している。アウタシェル１２の後部には後部開口３６に連通する後部シール室７０が形成されている。後部シール室７０には各被覆ケーブル１１０を個別に通される貫通孔１２２を有するゴム状弾性体によって構成されたケーブルシール部材１２０が装着されている。
【００３２】
ケース受入室３２は、図６に示されているように、ホルダ室３４より前側、つまりケース差込口３０の側にあり、ケース受入室３２は防水シール部材２０が配置されている。防水シール部材２０は、パッケージケース１０２（図１５及び図１６参照）の外周を一周する扁平環状に形成されたゴム状弾性体によって構成され（図１参照）、外周面２０Ａがケース受入室３２の内周面３２Ａに密着し、内周に形成された複数の環状ランド部２０Ｂの先端面がケース受入室３２に挿入されたパッケージケース１０２の外周面に密着することにより、アウタシェル１２とコントローラユニット１０４との間の防水シールを行う。
【００３３】
両面プリント基板の端子エッジ部１００の上下両面には、左右方向に端子１６の配置ピッチと同じピッチをもって複数の端子部（ランド部）１０６（図１５及び図１６参照）が形成されている。端子エッジ部１００は、パッケージケース１０２がケース受入室３２に挿入されることにより、端子室４２に挿入され、上面及び下面の端子部１０６が、各々、上側及び下側の端子１６の接触片６２（図６参照）に導通状態で接触する。
【００３４】
端子ホルダ１４の後部には、図２及び図３に示されているように、後面１４Ｂに開口したスリット７２が左右方向に離れた複数箇所に形成されている。
【００３５】
サイドリテーナ１８は、図１〜図６及び図８〜図１０に示されているように、左右方向に長い矩形板状、換言すると、端子１６の端子保持凹部４４に対する挿入方向に直交する方向に長いに帯板部７３と、帯板部７３の上面及び下面の各々に端子１６の配置ピッチと同ピッチをもって突出形成された複数の係止用突部７４とを有する樹脂成形品である。
【００３６】
帯板部７３は、スリット７２に左右方向に移動可能に係合し、上側の端子導入通路４６と下側の端子導入通路４６との間にあって、全ての端子導入通路４６を左右方向に横切って延在し、左右方向（端子導入通路４６を横切る方向）に離れた第１の位置と第２の位置離れたロック位置（第１の位置）とロック解除位置（第２の位置）との間を変位可能に端子ホルダ１４に取り付けられている。換言すると、サイドリテーナ１８は、端子１６の端子保持凹部４４に対する挿入方向に直交する方向に離れたロック位置とロック解除位置との間を変位可能に端子ホルダ１４によって支持されている。
【００３７】
各係止用突部７４は、ロック位置では、図５、図８及び図１０に示されているように、各端子導入通路４６に整合する位置に位置し、端子本体６０の肩部６９（図５及び図６参照）に後側から対向して端子１６の抜け止め、つまり端子ホルダ１４に対する端子１６の後方への移動を阻止し、ロック解除位置では、図３、図４及び図９に示されているように、端子導入通路４６に対してオフセットされた位置、つまり隣り合う端子導入通路４６間に位置し、端子導入通路４６を通過して行われる端子保持凹部４４に対する端子１６の挿入を許容、つまり、端子１６が端子導入通路４６を通過して端子室４２に位置することを許容する。
【００３８】
帯板部７３の左右の端部には、図１、図２、図１３及び図１４に示されているように、リテーナ操作部９２、９４が一体成形されている。リテーナ操作部９２、９４は前側に傾斜カム面９２Ａ、９４Ａを有する。傾斜カム面９２Ａ、９４Ａは前後方向（後述のアクセス通路９６、９８の延在方向）の変位を、左右方向（端子導入通路４６を横切る方向）の変位に変換する。
【００３９】
端子ホルダ１４の左右の端部には、図８〜図１０、図１３及び１４に示されているように、アクセス通路９６、９８が形成されている。アクセス通路９６、９８は、各々、端子ホルダ１４を前後に貫通する開口であり、エッジ差込口４０が開口している端子ホルダ１４の前面１４Ａから傾斜カム面９２Ａ、９４Ａに至っており、サイドリテーナ１８の操作時には、エッジ差込口４０の側から棒状工具（治具）１３０を挿入される。棒状工具１３０は、単なる棒体によって構成されていてもよいが、好ましくは、傾斜先端面１３０Ａを有する棒部材であればよい。
【００４０】
図１３に示されているように、サイドリテーナ１８がロック解除位置にある状態において、エッジ差込口４０の側から右側のアクセス通路９６に棒状工具１３０が挿入され、棒状工具１３０の後方への移動によって傾斜先端面１３０Ａが傾斜カム面９２Ａを押すことにより、サイドリテーナ１８が左方に移動し、サイドリテーナ１８がロック位置に移動する。
【００４１】
図１４に示されているように、サイドリテーナ１８がロック位置にある状態において、エッジ差込口４０の側から左側のアクセス通路９８に棒状工具１３０が挿入され、棒状工具１３０の後方への移動によって傾斜先端面１３０Ａが傾斜カム面９４Ａを押すことにより、サイドリテーナ１８が右方に移動し、サイドリテーナ１８がロック解除位置に移動する。
【００４２】
これにより、サイドリテーナ１８が端子ホルダ１４内にあって、端子ホルダ１４の側部にサイドリテーナ１８を挿入及び操作するための開口があけられていなくても、端子ホルダ１４のエッジ差込口４０の側からの操作により、更には、端子ホルダ１４をアウタシェル１２内に組み込んだ後にもアウタシェル１２のケース差込口３０の側から操作によってサイドリテーナ１８を、ロック解除位置からロック位置へ、或いはロック位置からロック解除位置へ移動させることができる。
【００４３】
このことにより、サイドリテーナ１８が端子ホルダ１４内に配置されても端子ホルダ１４の側部にサイドリテーナ１８を端子ホルダ１４内に挿入及び操作するための開口を形成する必要がなく、防水シール部材２０とは別に、サイドリテーナ１８のための専用の防水シール部材を設ける必要がない。また、サイドリテーナ１８に傾斜カム面９２Ａ、９４Ａを設けるだけで、簡単な棒状工具１３０の使用のもとに、エッジ差込口４０の側からサイドリテーナ１８をロック位置あるいはロック解除位置へ移動させることができ、構造が複雑になることがない。
【００４４】
帯板部７３の左右方向の中央部には、図１〜図３及び図８〜図１２に示されているように、帯板部７３の上下に突出したブロック部７６が一体成形されている。ブロック部７６の上面には左右２個のＶ溝（凹部）７８、８０が形成されている。端子ホルダ１４の左右方向の中央部には、図１〜図３及び図８〜図１２に示されているように、後面１４Ｂに開口した開口８２が形成されている。端子ホルダ１４は開口８２内に位置する片持ちの係止片８４を一体に有している。係止片８４はブロック部７６の後面に係合してサイドリテーナ１８の抜け止を行う鉤形部８６（図１１参照）及びＶ溝７８、８０の何れか一方に選択的に係合するＶ形突部（凸部）８８（図１２参照）を有する。
【００４５】
Ｖ形突部８８は、サイドリテーナ１８がロック位置にある時には、図１０及び図１２に示されているように、Ｖ溝７８に係合し、サイドリテーナ１８がロック解除位置にある時には、図９に示されているように、Ｖ溝８０に係合する。これにより、サイドリテーナ１８がロック位置或いはロック解除位置に位置する時にクリックストップ作用が得られ、サイドリテーナ１８がロック位置或いはロック解除位置に安定して位置する。
【００４６】
帯板部７３の左右方向の中央部には、図１、図２、図１１、図１５及び図１６に示されているように、帯板部７３から前方に延出して開口８２内に位置してエッジ差込口４０に臨むフールプルーフ突片９０が一体成形されている。フールプルーフ突片９０は、サイドリテーナ１８がロック位置にある時には、図１６に示されているように、端子エッジ部１００の左右方向の中央部に形成されているスリット１０８と整合することにより、端子エッジ部１００と干渉することなく端子エッジ部１００が端子室４２に進入することを許容し、サイドリテーナ１８がロック解除位置にある時には、図１５に示されているように、スリット１０８と整合することなく端子室４２に進入しようとする端子エッジ部１００の先端と干渉して端子エッジ部１００が端子室４２に進入することを阻止するフールプルーフ作用部をなす。
【００４７】
これにより、サイドリテーナ１８がロック解除位置にあって、サイドリテーナ１８による端子１６の抜け止めが行われていない状態下で、端子エッジ部１００がエッジ差込口４０から端子室４２に差し込まれることが阻止され、不完全状態でのコネクタ接続が未然に防止される。
【００４８】
以上、本発明を、その好適な実施形態について説明したが、当業者であれば容易に理解できるように、本発明はこのような実施形態により限定されるものではなく、本発明の趣旨を逸脱しない範囲で適宜変更可能である。たとえば、本発明のコネクタは、基板接続用のカードエッジコネクタや両面基板コネクタや複数の端子１６を有する多極コネクタに限られることはなく、接続対象部材はプリント基板の端子エッジ部以外のプラグ・ジャックやレセプタクル等であってもよい。フールプルーフ作用部は、サイドリテーナ１８がロック位置にある時には接続対象部材と干渉することなく接続対象部材が端子室４２に進入することを許容し、サイドリテーナ１８がロック解除位置にある時には接続対象部材と干渉して接続対象部材が端子室４２に進入することを阻止する衝当部材であればよい。また、上記実施形態に示した構成要素は必ずしも全てが必須なものではなく、本発明の趣旨を逸脱しない限りにおいて適宜取捨選択することが可能である。
【符号の説明】
【００４９】
１０    コネクタ
１２    アウタシェル
１２Ａ  前面
１２Ｂ  奧面
１４    端子ホルダ
１４Ａ  前面
１４Ｂ  後面
１６    端子
１６Ａ  先端面
１８    サイドリテーナ
２０    防水シール部材
２０Ａ  外周面
２０Ｂ  環状ランド部
３０    ケース差込口
３２    ケース受入室
３２Ａ  内周面
３４    ホルダ室
３６    後部開口
４０    エッジ差込口
４２    端子室
４４    端子保持凹部
４４Ａ  前端面
４６    端子導入通路
４８    開口
５０    ランス部
５２    係止爪
６０    端子本体
６２    接触片
６４    芯線バレル
６６    被覆部バレル
６８    係止部
６９    肩部
７０    後部シール室
７２    スリット
７３    帯板部
７４    係止用突部
７６    ブロック部
７８    Ｖ溝
８０    Ｖ溝
８２    開口
８４    係止片
８６    鉤形部
８８    Ｖ形突部
９０    フールプルーフ突片
９２    リテーナ操作部
９２Ａ  傾斜カム面
９４    リテーナ操作部
９４Ａ  傾斜カム面
９６    アクセス通路
９８    アクセス通路
１００  端子エッジ部（接続対象部材）
１０２  パッケージケース
１０４  コントローラユニット
１０６  端子部
１０８  スリット
１１０  被覆ケーブル
１１２  芯線
１１４  被覆部
１２０  ケーブルシール部材
１２２  貫通孔
１３０  棒状工具
１３０Ａ  傾斜先端面
【図１】
2017199847.tif 000003
【図２】
2017199847.tif 000004
【図３】
2017199847.tif 000005
【図４】
2017199847.tif 000006
【図５】
2017199847.tif 000007
【図６】
2017199847.tif 000008
【図７】
2017199847.tif 000009
【図８】
2017199847.tif 000010
【図９】
2017199847.tif 000011
【図１０】
2017199847.tif 000012
【図１１】
2017199847.tif 000013
【図１２】
2017199847.tif 000014
【図１３】
2017199847.tif 000015
【図１４】
2017199847.tif 000016
【図１５】
2017199847.tif 000017
【図１６】
2017199847.tif 000018
【国際調査報告】
2017199847.tif 000019
2017199847.tif 000020
2017199847.tif 000021
2017199847.tif 000022